【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
第１の方向に沿って並ぶ複数の吐出素子と、
前記複数の吐出素子を駆動する複数の駆動素子と、
第１の電圧が供給される第１の電極と、
前記第１の電圧とは異なる第２の電圧が供給される第２の電極と、
前記第１の電極と前記複数の吐出素子とを電気的に接続する第１の配線部と、
前記第２の電極と前記複数の駆動素子とを電気的に接続する第２の配線部と、を備え、
前記複数の吐出素子は、第１の吐出素子と、第２の吐出素子とを含み、
前記複数の駆動素子は、前記第１の吐出素子へ電気的に接続された第１の駆動素子と、前記第２の吐出素子へ電気的に接続された第２の駆動素子とを含み、
前記第１の配線部は、前記第１の電極および前記第１の吐出素子へ電気的に接続された第１の導電部材と、前記第１の電極および前記第２の吐出素子へ電気的に接続された第２の導電部材と、を含み、
前記第１の導電部材の少なくとも一部と前記第２の導電部材の少なくとも一部との間に絶縁部が配され、
前記第２の配線部は、前記複数の吐出素子が成す列に沿って延在し、かつ、前記第２の電極、前記第１の駆動素子および前記第２の駆動素子へ電気的に接続された共通の導電部材を含み、
前記第２の導電部材の前記第１の方向に沿った長さは、前記第１の導電部材の前記第１の方向に沿った長さより長く、
前記第２の導電部材の抵抗値は、前記第１の導電部材の抵抗値より小さい、
ことを特徴とする液体吐出用基板。
【請求項２】
前記第１の導電部材の前記第１の方向に沿った長さと、前記第２の導電部材の前記第１の方向に沿った長さとが異なる、
ことを特徴とする請求項１に記載の液体吐出用基板。
【請求項３】
前記複数の吐出素子は、第３の吐出素子を含み、
前記複数の駆動素子は、前記第３の吐出素子へ電気的に接続された第３の駆動素子を含み、
前記第１の配線部は、前記第１の電極、および、前記第３の吐出素子へ電気的に接続された第３の導電部材を含み、
前記共通の導電部材は、前記第３の駆動素子へ電気的に接続され、
前記絶縁部は、前記第３の導電部材と前記第１の導電部材との間に配された第１の絶縁部、および、前記第３の導電部材と前記第２の導電部材との間に配された第２の絶縁部を含み、
前記第３の導電部材の前記第１の方向に沿った長さは、前記第２の導電部材の前記第１の方向に沿った長さより長く、
前記第３の導電部材の抵抗値は、前記第２の導電部材の抵抗値より小さい、
ことを特徴とする請求項１に記載の液体吐出用基板。
【請求項４】
前記第１の導電部材、および、前記第２の導電部材は、前記複数の吐出素子の成す列に沿って、互いに並行して延在している、
ことを特徴する請求項１乃至請求項３のいずれか一項に記載の液体吐出用基板。
【請求項５】
前記共通の導電部材は、前記第１の導電部材、および、前記第２の導電部材に並行して延在している、
ことを特徴する請求項１乃至請求項４のいずれか一項に記載の液体吐出用基板。
【請求項６】
前記共通の導電部材は、第１の部分と第２の部分とを有し、
前記第１の部分は、前記第１の駆動素子が配された領域の上に配され、かつ、前記第１の駆動素子へ電気的に接続され、
前記第２の部分は、前記第２の駆動素子が配された領域の上に配され、かつ、前記第２の駆動素子へ電気的に接続され、
前記第２の部分は、前記第１の部分を介して、前記第２の電極と電気的に接続される、
ことを特徴とする請求項１乃至請求項５のいずれか一項に記載の液体吐出用基板。
【請求項７】
前記液体吐出用基板は、前記複数の吐出素子が並ぶ方向に沿った第１の辺と、前記第１の辺と交差する方向に沿った第２の辺とを有し、
前記第２の辺の長さが前記第１の辺の長さより短く、
前記第１の電極と、前記第２の電極とが、前記第２の辺に沿って並んでいる、
ことを特徴とする請求項１乃至請求項６のいずれか一項に記載の液体吐出用基板。
【請求項８】
前記複数の吐出素子は、それぞれが少なくとも２つの吐出素子を含む複数のセグメントに分かれて配列され、
前記複数のセグメントは、前記第１の吐出素子を含む第１のセグメントと、前記第２の吐出素子を含む第２のセグメントとを含み、
前記第１のセグメントに含まれる前記少なくとも２つの吐出素子が、前記第１の導電部材に電気的に接続され、
前記第２のセグメントに含まれる前記少なくとも２つの吐出素子が、前記第２の導電部材に電気的に接続される、
ことを特徴とする請求項１乃至請求項７のいずれか一項に記載の液体吐出用基板。
【請求項９】
前記複数の吐出素子は、前記第１の吐出素子から第ｎの吐出素子までのｎ個の吐出素子を含み、
前記複数の駆動素子は、それぞれ、前記ｎ個の吐出素子に電気的に接続された、前記第１の駆動素子から第ｎの駆動素子までのｎ個の駆動素子を含み、
前記第１の配線部は、それぞれ、前記ｎ個の吐出素子に電気的に接続された、前記第１の導電部材から第ｎの導電部材までのｎ個の導電部材を含み、
前記共通の導電部材は、前記ｎ個の駆動素子に電気的に接続され、
前記ｎ個の導電部材は、それぞれ、抵抗値Ｒ１から抵抗値Ｒｎを有し、
前記共通の導電部材の隣り合う２つの駆動素子の間の部分が、それぞれ、抵抗値Ｒｓ（１）から抵抗値Ｒｓ（ｎ−１）を有し、
前記第１の導電部材の抵抗値Ｒ１、および、前記第ｎの導電部材の抵抗値Ｒｎが、次の関係を満たす：
【数１】
2015214069.tif 000001
ことを特徴とする請求項１乃至請求項８のいずれか一項に記載の液体吐出用基板。
【請求項１０】
前記複数の吐出素子は、前記第１の吐出素子から第ｎの吐出素子までのｎ個の吐出素子を含み、
前記複数の駆動素子は、それぞれ、前記ｎ個の吐出素子に電気的に接続された、前記第１の駆動素子から第ｎの駆動素子までのｎ個の駆動素子を含み、
前記第１の配線部は、それぞれ、前記ｎ個の吐出素子に電気的に接続された、前記第１の導電部材から第ｎの導電部材までのｎ個の導電部材を含み、
前記共通の導電部材は、前記ｎ個の駆動素子に電気的に接続され、
前記ｎ個の導電部材は、それぞれ、抵抗値Ｒ１から抵抗値Ｒｎを有し、
前記共通の導電部材の隣り合う２つの駆動素子の間の部分が、互いに等しい抵抗値Ｒｓを有し、
前記第１の導電部材の抵抗値Ｒ１、および、前記第ｎの導電部材の抵抗値Ｒｎが、次の関係を満たす：
【数２】
2015214069.tif 000002
ことを特徴とする請求項１乃至請求項８のいずれか一項に記載の液体吐出用基板。
【請求項１１】
前記第２の電圧は前記第１の電圧より低く、
前記複数の駆動素子のそれぞれが、Ｎ型のトランジスタを含み、
前記トランジスタのドレインおよびソースの一方は、前記吐出素子に電気的に接続され、
前記トランジスタのドレインおよびソースの他方は、前記共通の導電部材に電気的に接続され、
前記トランジスタのゲートに、前記トランジスタを制御する制御信号が印加される、
ことを特徴とする請求項１乃至請求項１０のいずれか一項に記載の液体吐出用基板。
【請求項１２】
前記第２の電圧は前記第１の電圧より高く、
前記複数の駆動素子のそれぞれが、Ｐ型のトランジスタを含み、
前記トランジスタのドレインおよびソースの一方は、前記吐出素子に電気的に接続され、
前記トランジスタのドレインおよびソースの他方は、前記共通の導電部材に電気的に接続され、
前記トランジスタのゲートに、前記トランジスタを制御する制御信号が印加される、
ことを特徴とする請求項１乃至請求項１０のいずれか一項に記載の液体吐出用基板。
【請求項１３】
前記制御信号は、前記トランジスタを導通させる第３の電圧の信号を含み、
前記第２の電圧と前記第３の電圧との差が、前記トランジスタの閾値電圧より大きく、かつ、５Ｖより小さい、
ことを特徴とする請求項１１または請求項１２に記載の液体吐出用基板。
【請求項１４】
第１のロジック回路と、前記駆動素子を制御する第２のロジック回路とを備え、
前記第１のロジック回路に供給される電源電圧と、前記第２のロジック回路に供給される電源電圧とが等しい、
ことを特徴とする請求項１乃至請求項１３のいずれか一項に記載の液体吐出用基板。
【請求項１５】
前記第１の導電部材、および、前記第２の導電部材が第１の配線層に含まれ、
前記第１の配線層とは異なる第２の配線層に含まれる導電部材が、第１の導電部材と前記第１の吐出素子とを接続し、かつ、第２の導電部材と前記第２の吐出素子とを接続する、
ことを特徴とする請求項１乃至請求項１４のいずれか一項に記載の液体吐出用基板。
【請求項１６】
前記共通の導電部材が第１の配線層に含まれ、
前記第１の配線層とは異なる第２の配線層に含まれる導電部材が、前記共通の導電部材と、前記第１の駆動素子および前記第２の駆動素子とを接続する、
ことを特徴とする請求項１乃至請求項１４のいずれか一項に記載の液体吐出用基板。
【請求項１７】
前記第１の電極、前記第１の導電部材、および、前記第２の導電部材は、１つの配線層において一体として形成された配線パターンに含まれる、
ことを特徴とする請求項１乃至請求項１６のいずれか一項に記載の液体吐出用基板。
【請求項１８】
前記第２の電極、および、前記共通の導電部材は、１つの配線層において一体として形成された配線パターンに含まれる、
ことを特徴とする請求項１乃至請求項１７のいずれか一項に記載の液体吐出用基板。
【請求項１９】
請求項１乃至請求項１８のいずれか一項に記載の液体吐出用基板と、
前記液体吐出用基板に液体を供給するための液体供給部と、を備える、
ことを特徴とする液体吐出用ヘッド。
【請求項２０】
請求項１９に記載の液体吐出用ヘッドと、
前記液体吐出用ヘッドを駆動する駆動部と、を備える、
ことを特徴とする記録装置。
【手続補正２】
【補正対象書類名】明細書
【補正対象項目名】０００８
【補正方法】変更
【補正の内容】
【０００８】
第１の方向に沿って並ぶ本発明の１つの側面に係る実施形態の液体吐出用基板は、複数の吐出素子と、前記複数の吐出素子を駆動する複数の駆動素子と、第１の電圧が供給される第１の電極と、前記第１の電圧とは異なる第２の電圧が供給される第２の電極と、前記第１の電極と前記複数の吐出素子とを電気的に接続する第１の配線部と、前記第２の電極と前記複数の駆動素子とを電気的に接続する第２の配線部と、を備え、前記複数の吐出素子は、第１の吐出素子と、第２の吐出素子とを含み、前記複数の駆動素子は、前記第１の吐出素子へ電気的に接続された第１の駆動素子と、前記第２の吐出素子へ電気的に接続された第２の駆動素子とを含み、前記第１の配線部は、前記第１の電極および前記第１の吐出素子へ電気的に接続された第１の導電部材と、前記第１の電極および前記第２の吐出素子へ電気的に接続された第２の導電部材と、を含み、前記第１の導電部材の少なくとも一部と前記第２の導電部材の少なくとも一部との間に絶縁部が配され、前記第２の配線部は、前記複数の吐出素子が成す列に沿って延在し、かつ、前記第２の電極、前記第１の駆動素子および前記第２の駆動素子へ電気的に接続された共通の導電部材を含み、前記第２の導電部材の前記第１の方向に沿った長さは、前記第１の導電部材の前記第１の方向に沿った長さより長く、前記第２の導電部材の抵抗値は、前記第１の導電部材の抵抗値より小さい、ことを特徴とする。